(57)【要約】      （修正有）【課題】ＬＴＥ通信をＩｏＴに応用する際、定期的で長期間の通信を行う場合がある。このとき、消費電力を抑えつつ、通信環境の変化に対応できる受信装置、アンテナ制御方法、及び通信システムを提供する。【解決手段】受信装置は、ＬＴＥ通信方式に対応する複数のアンテナと、複数のアンテナのうちのいずれか一方で取得される受信信号を処理する１つの受信処理部と、初期セルサーチ時の同期信号が検出されることをトリガーとして、初期セルサーチ時に用いられたアンテナにより取得される受信信号の品質を示す信号品質値を算出する信号品質測定部と、信号品質値が所定の閾値未満である場合、アンテナの切替を実行する制御部とを備える。【選択図】図２
2020120198.tif 000002
【特許請求の範囲】
【請求項１】
ＬＴＥ通信方式に対応する複数のアンテナと、
前記複数のアンテナのうちのいずれか一方で取得される受信信号を処理する１つの受信処理部と
を備える受信装置。
【請求項２】
初期セルサーチ時の同期信号が検出されることをトリガーとして、当該初期セルサーチ時に用いられたアンテナにより取得される受信信号の品質を示す信号品質値を算出する信号品質測定部と、
前記信号品質値が所定の閾値未満である場合、前記アンテナの切替を実行する制御部と
をさらに備える
請求項１に記載の受信装置。
【請求項３】
前記信号品質測定部は、
ＲＳＳＩ値、ＲＳＱＩ値、及びＳＩＮＲ値、並びに、
ＲＳＳＩ値に関連する値、ＲＳＱＩ値に関連する値、及びＳＩＮＲ値に関連する値のうちの少なくとも１つの値を用いた演算結果に基づいて、前記信号品質値を算出する請求項２に記載の受信装置。
【請求項４】
前記複数のアンテナは、第１アンテナおよび第２アンテナを含み、
前記信号品質測定部は、
前記第２アンテナへの切替後、前記信号品質値を再度算出し、
前記制御部は、
前記第２アンテナへの切替後に前記信号品質測定部により再度算出された前記信号品質値が、前記第２アンテナへの切替前に前記信号品質測定部により計測された前記信号品質値未満である場合、前記第１アンテナへの切替を実行する請求項２に記載の受信装置。
【請求項５】
前記複数のアンテナは、第１アンテナおよび第２アンテナを含み、
前記信号品質測定部は、
前記第２アンテナへの切替後、前記信号品質値を再度算出し、
前記制御部は、
前記第２アンテナへの切替後に前記信号品質測定部により再度算出された前記信号品質値が、前記第２アンテナへの切替前に前記信号品質測定部により計測された前記信号品質値以上である場合、前記第２アンテナをリファレンスアンテナに設定し、初期セルサーチの実施前に第２アンテナに接続して待機する請求項２に記載の受信装置。
【請求項６】
前記制御部は、
初期セルサーチ時の同期信号が一定期間検出されないことをトリガーとして、前記アンテナの切替を実行する
請求項２に記載の受信装置。
【請求項７】
前記第１アンテナ及び前記第２アンテナは、
ＣＡＴ−Ｍ１方式、及びＮＢ−ＩｏＴ方式と同等の低速通信方式による受信信号を取得する
請求項４に記載の受信装置。
【請求項８】
コンピュータが、
初期セルサーチ時の同期信号が検出されることをトリガーとして、当該初期セルサーチ時に用いられたアンテナにより取得される受信信号の品質を示す信号品質値を算出し、
前記信号品質値が所定の閾値未満である場合、前記アンテナの切替を実行する
アンテナ制御方法。
【請求項９】
基地局と、受信装置とを備える通信システムにおいて、
前記受信装置は、
ＬＴＥ通信方式に対応する複数のアンテナと、
前記複数のアンテナのうちのいずれか一方で取得される受信信号を処理する１つの受信処理部と
を備える通信システム。
【発明の詳細な説明】
【技術分野】
【０００１】
本開示は、受信装置、アンテナ制御方法、及び通信システムに関する。
【背景技術】
【０００２】
ＬＴＥ（Long  Time  Evolution）を用いた無線通信システムを、スマートメータや環境モニタリング、自動車テレマティックスなどのＩｏＴ（Internet  of  Things）に応用する試みが進められている。たとえばＣＡＴ−Ｍ１方式やＮＢ（Narrow  Band）−ＩｏＴ方式など、ＩｏＴに応用されるＬＴＥの通信方式の標準化及び実用化が進められている。
【０００３】
ここで、通信品質の低下を防止するため、端末もしくは基地局においてアンテナの切替を行う技術が知られている。
【先行技術文献】
【特許文献】
【０００４】
【特許文献１】特開２０１６−１２７４８７号公報
【特許文献２】特開２００５−２６０５０２号公報
【発明の概要】
【発明が解決しようとする課題】
【０００５】
ＬＴＥ通信をＩｏＴに応用する際、定期的で長期間の通信を期待される場合がある。このとき、受信装置の回路構成を簡素化することにより消費電力を抑えることができるが、その一方で、受信装置の回路の構成を簡素化すれば受信の多様性の効果が失われ、伝送路の環境の変化に対応できずに、通信品質の低下を招くおそれがある。
【０００６】
そこで、本開示では、消費電力を抑えつつ、通信環境の変化に対応できる受信装置、アンテナ制御方法、及び通信システムを提案する。
【課題を解決するための手段】
【０００７】
上記の課題を解決するために、本開示に係る一形態の受信装置は、ＬＴＥ通信方式に対応する複数のアンテナと、前記複数のアンテナのうちのいずれか一方で取得される受信信号を処理する１つの受信処理部とを備える。
【図面の簡単な説明】
【０００８】
【図１】本開示の第１の実施形態に係る通信システムの一例を示す図である。
【図２】本開示の第１の実施形態に係る受信装置の構成例を示す図である。
【図３】本開示の第１の実施形態に係る出力レベルに応じたスループットごとの各信号品質値の測定結果の一例を示す図である。
【図４】本開示の第１の実施形態に係るアンテナ切替処理の流れを示すフローチャートである。
【図５】本開示の第２の実施形態に係る各変調方式に対応するスループットの測定結果の一例を示す図である。
【図６】本開示の第２の実施形態に係るアンテナ切替処理の流れを示すフローチャートである。
【図７】本開示の第３の実施形態に係る受信装置の構成例を示す図である。
【図８】本開示の第３の実施形態に係るアンテナ切替処理の流れを示すフローチャートである。
【図９】本開示の第３の実施形態に係るアンテナ切替処理の流れを示すフローチャートである。
【図１０】その他の実施形態に係るスマートメータの構成例を示す図である。
【図１１】受信装置の機能を実現するコンピュータの一例を示すハードウェア構成図である。
【図１２】ＬＴＥ通信方式の仕様の一例を示す図である。
【図１３】受信ダイバシティ構成の一例を示す図である。
【発明を実施するための形態】
【０００９】
以下に、本開示の実施形態について図面に基づいて詳細に説明する。なお、以下の各実施形態において、同一の部位には同一の符号を付することにより重複する説明を省略する場合がある。
【００１０】
また、以下に示す項目順序に従って本開示を説明する。
１．第１の実施形態
１−１．第１の実施形態に係る通信システムの構成
１−２．第１の実施形態に係る受信装置の構成
１−３．第１の実施形態に係るアンテナ切替処理の手順
２．第２の実施形態
２−１．第２の実施形態に係るアンテナ切替処理の手順
３．第３の実施形態
３−１．第３の実施形態に係る受信装置の構成
３−２．第３の実施形態に係るアンテナ切替処理の手順
４．その他の実施形態
５．本開示に係る受信装置による効果
６．ハードウェア構成
【００１１】
（１．第１の実施形態）
［１−１．第１の実施形態に係る通信システムの構成］
図１は、本開示の第１の実施形態に係る通信システム１の一例を示す図である。図１に示す通信システム１は、ＬＴＥ通信方式を利用した通信（以下、「ＬＴＥ通信」と記載する）をＩｏＴに利用するＩｏＴシステムである。かかる通信システム１は、基地局２と、ＩｏＴ機器３とを含む。
【００１２】
基地局２は、ＬＴＥ通信における無線信号の送受信を行う装置である。ＩｏＴ機器３は、基地局２との間で無線信号を送受信することによりＬＴＥ通信を行う機器である。ＩｏＴ機器３は、無線通信部４を備え、かかる無線通信部４は受信装置１０を有する。
【００１３】
受信装置１０は、基地局２から受信するＬＴＥ通信における無線信号を処理する装置である。受信装置１０は、ＬＴＥ通信に対応する第１アンテナ１０１及び第２アンテナ１０２を備える。
【００１４】
図１２は、ＬＴＥ通信方式の仕様の一例を示す図である。図１２に示す「Ｃａｔ−４」は、一般にスマートフォンなどに用いられる仕様である。図１２に示す「Ｃａｔ−Ｍ１」および「ＮＢ−ＩｏＴ」は、一般にＩｏＴ機器に用いられる仕様である。
【００１５】
図１２に示すように、ＩｏＴ機器に用いられるＬＴＥ通信方式の仕様は、端末運用帯域幅（チャネル帯域幅）の狭帯域化、及び最大通信速度（伝送レート）を低速化することにより、消費電力の低減やモデム複雑性の緩和に特化した仕様となっている。一方、ＬＴＥ通信方式を自動車テレマティックなどの移動体に適用する場合、ＩｏＴ機器に用いられるＬＴＥ通信方式として図１２に示す仕様では、通信が困難となることが予想される。同様に、基地局からの見通しが悪く、外部環境の変動およびマルチパスなどの影響が大きいスマートメータ又は環境モニタリングにＬＴＥ通信方式を適用する場合にも、図１２に示す仕様では、通信が困難となることが予想される。
【００１６】
このような問題に対処する一般的な手法として、複数のアンテナで電波を受信するダイバシティがある。ダイバシティは、複数のアンテナで電波を受信し、質の良い受信信号を選択または合成することにより、受信レベルの低下を防止する手法である。図１３は、比較例に係る受信装置３０の構成例を示す図である。図１３に示すように、比較例に係る受信装置３０は、アンテナ３１及びアンテナ３２を用いたダイバシティの構成を採用している。かかる受信装置３０は、基地局２からの電波を受信するアンテナ３１及びアンテナ３２を備える。また、かかる受信装置３０は、アンテナ３１で取得される受信信号を処理する回路（系統１）と、アンテナ３２に取得される受信信号を処理する回路（系統２）とで構成された２系統の処理回路を備える。そして、かかる受信装置３０は、アンテナ３１及びアンテナ３２で取得された受信信号から適切な受信信号を選択または合成できる。
【００１７】
上述したダイバシティによれば、受信レベルの低下を防止できるが、アンテナごとに受信信号を処理する処理回路がそれぞれ必要であることから、消費電力が問題となる。たとえばスマートメータなど、長期間で定期的な通信が期待されるＩｏＴ機器にＬＴＥ通信を利用する場合においては、受信装置の回路構成をできるだけ簡素化して、消費電力を抑える必要がある。
【００１８】
そこで、本開示の第１の実施形態では、消費電力を抑えつつ、伝送路の環境の変化に耐性を有する受信装置１０を提案する。以下に、第１の実施形態に係る受信装置１０の構成について具体的に説明する。
【００１９】
［１−２．第１の実施形態に係る受信装置の構成］
図２は、本開示の第１の実施形態に係る受信装置１０の構成例を示す図である。受信装置１０は、受信処理部１００と、第１アンテナ１０１と、第２アンテナ１０２と、同期信号検出部１０９と、信号品質測定部１１０と、記憶部１１１と、制御部１１２とを備える。
【００２０】
第１アンテナ１０１（第１アンテナの一例）、及び第２アンテナ１０２（第２アンテナの一例）は、ＬＴＥ通信方式に対応した電波を受信する装置である。ＬＴＥ通信方式として、ＣＡＴ−Ｍ１方式、及びＮＢ−ＩｏＴ方式と同等の低速通信方式が例示される。第１アンテナ１０１及び第２アンテナ１０２は、基地局２から受信した電波を電気信号に変換することにより受信信号を取得する。第１アンテナ１０１及び第２アンテナ１０２は、取得した受信信号を受信装置１０に入力する。受信装置１０は、電源が投入されると、第１アンテナ１０１及び第２アンテナ１０２のいずれか一方に接続して待機する。
【００２１】
第１アンテナ１０１及び第２アンテナ１０２に接続される受信処理部１００は、セレクタ１０３と、アンプ１０４と、ミキサ１０５と、ベースバンド処理部１０６と、変換部１０７と、復調部１０８とを有する。受信処理部１００は、第１アンテナ１０１又は第２アンテナ１０２により取得される受信信号を処理する。受信処理部１００は、第１アンテナ１０１及び第２アンテナ１０２に対して、セレクタ１０３、アンプ１０４、ミキサ１０５、ベースバンド処理部１０６、変換部１０７、及び復調部１０８をそれぞれ１つ備えた１系統の処理回路で構成される。
【００２２】
セレクタ１０３は、制御部１１２の制御信号に従って、第１アンテナ１０１及び第２アンテナ１０２のうちのいずれか一方に切り替える。
【００２３】
ベースバンド処理部１０６は、アンプ１０４およびミキサ１０５を介して取得した受信信号をベースバンド信号に変換する。ベースバンド処理部１０６は、アンプ１０４で増幅され、ミキサ１０５で周波数変換が行われた後の無線信号をベースバンド信号に変換してもよいが、ダイレクトコンバージョン方式により、無線信号を直接ベースバンド信号に変換してもよい。
【００２４】
変換部１０７は、アナログ信号であるベースバンド信号をディジタル信号のベースバンド信号に変換する。
【００２５】
復調部１０８は、基地局２から受信装置１０へのダウンリンク信号の復調処理を実行する。すなわち、復調部１０８は、ダウンリング信号のチャネルの変調シンボルに対して、所定の変調方式を用いて、ディジタル信号に変換されたベースバンド信号の復調を行う。所定の変調方式として、ＱＰＳＫ（Quadrature  Phase  shift  Keying）、又は１６ＱＡＭ（Quadrature  Amplitude  Modulation）等が例示される。
【００２６】
同期信号検出部１０９は、ＬＴＥ通信が開始される前の初期段階でネットワーク内のセルを検出し、基地局２との同期を確立するために実行する初期セルサーチ時の同期信号を検出する。初期セルサーチは、主同期信号（ＰＳＳ：Primary  Synchronization  Signal）を用いたプライマリ（初期）同期シーケンスと、副同期信号（ＳＳＳ：secondary  Synchronization  Signal）を用いてセカンダリ同期シーケンスとで構成される。
【００２７】
信号品質測定部１１０は、後述する同期信号検出部１０９により同期信号が検出され、所定の通信が開始されると、受信信号の品質を測定する。具体的には、信号品質測定部１１０は、同期信号検出部１０９により初期セルサーチ時の同期信号が検出されることをトリガーとして、初期セルサーチ時に用いられたアンテナにより取得される受信信号の品質を示す信号品質値を算出する。信号品質測定部１１０は、算出した信号品質値を制御部１１２に出力する。
【００２８】
信号品質測定部１１０は、ベースバンド処理部１０６から取得するアナログ信号、若しくは変換部１０７から取得するディジタル信号に基づいて信号品質値を算出する。信号品質測定部１１０は、たとえばＲＳＳＩ（Received  Signal  Strength  Indicator）値を用いた演算結果に基づいて信号品質値を算出できる。また、信号品質測定部１１０は、ＲＳＲＰ（Reference  Signal  Received  Power）値を用いた演算結果に基づいて信号品質値を算出できる。また、信号品質測定部１１０は、ＲＳＲＱ（Reference  Signal  Received  Quality）値を用いた演算結果に基づいて信号品質値を算出できる。また、信号品質測定部１１０は、ＳＩＮＲ（Signal  to  Interference  plus  Noise  Ratio）値を用いた演算結果に基づいて号品質値を算出できる。信号品質測定部１１０は、ＲＳＳＩ値、ＲＳＲＰ値、ＲＳＲＱ値、及びＳＩＮＲ値のうちの少なくとも１つの値を用いた演算結果に基づいて、信号品質値を算出することもできる。また、信号品質測定部１１０は、ＲＳＳＩ値に関連する値、ＲＳＲＰ値に関連する値、ＲＳＲＱ値に関連する値、及びＳＩＮＲ値に関連する値のうちの少なくとも１つの値を用いた演算結果に基づいて、信号品質値を算出できる。信号品質値の指標として例示するＲＳＲＰ値、ＲＳＲＱ値、ＳＩＮＲ値、及びＲＳＳＩ値はあくまで一例であり、その他の指標を用いてもよい。
【００２９】
また、信号品質測定部１１０は、制御部１１２から信号品質値の再測定を指示する制御信号を受け付けると、信号品質値を再度算出する。信号品質測定部１１０は、再度算出した信号品質値を制御部１１２に出力する。
【００３０】
記憶部１１１は、制御部１１２による制御に用いられるプログラムおよびデータを記憶する。記憶部１１１は、例えば、ＲＡＭ、フラッシュメモリ（Flash  Memory）等の半導体メモリ素子、または、ハードディスク、光ディスク等の記憶装置によって実現される。記憶部１１１は、たとえば制御部１１２が信号品質測定部１１０により算出された信号品質値と比較する所定の閾値を記憶できる。
【００３１】
図３は、本開示の第１の実施形態に係る出力レベルに応じたスループットごとの各信号品質値の測定結果の一例を示す図である。図３に示すように、送信側の出力レベルが「−５２（ｄｂｍ）」から「−５８（ｄｂｍ）」までの間は、スループットはほぼ横ばい状態となった。そして、送信側の出力レベルが「−６０（ｄｂｍ）」を下回ると、スループットも低下し始め、送信側の出力レベルが「−６２（ｄｂｍ）」に対応するスループットは、「−６０（ｄｂｍ）」の時の約３分の１の２３．７６％まで低下した。そして、、送信側の出力レベルが「−６６（ｄｂｍ）」に対応するスループットは０％となった。また、送信側の出力レベルの低下に従って、ＲＳＲＰ値、ＲＳＲＱ値、ＳＩＮＲ値、及びＲＳＳＩ値の全ての信号品質値が総じて低下した。
【００３２】
図３に示す測定結果に基づき、ＩｏＴ機器３で要求されるスループットに応じて、アンテナ切替のための所定の閾値を設定できる。たとえばＩｏＴ機器３で要求されるスループットが２０％程度であれば、ＲＳＲＰ値に対応する所定の閾値を「−１３３」に設定できる。同様に、ＩｏＴ機器３で要求されるスループットが２０％程度であれば、ＲＳＲＱ値に対応する閾値を「−３０」に設定できる。同様に、ＩｏＴ機器３で要求されるスループットが２０％程度であれば、ＳＩＮＲ値に対応する所定の閾値を「−１１」に設定できる。同様に、ＩｏＴ機器３で要求されるスループットが２０％程度であれば、ＲＳＳＩ値に対応する所定の閾値を「−１０２」に設定できる。
【００３３】
制御部１１２は、受信装置１０の各部を制御する。制御部１１２による制御は、例えば、ＣＰＵやＭＰＵ等によって、受信装置１０内部に記憶されたプログラム（例えば、記憶部１１１に記録されたプログラム）がＲＡＭ等を作業領域として実行されることにより実現される。また、制御部１１２による制御は、例えば、ＡＳＩＣやＦＰＧＡ等の集積回路により実現されてもよい。
【００３４】
制御部１１２は、たとえば受信装置１０の電源が投入されると、第１アンテナ１０１及び第２アンテナ１０２のうちのいずれか一方を初期セルサーチの開始時のアンテナとして任意に選択し、選択したアンテナに接続して待機する。続いて、制御部１１２は、同期信号検出部１０９により初期セルサーチ時の同期信号が検出されると、所定の通信を開始し、信号品質測定部１１０から取得する信号品質値が所定の閾値未満であるか否かを判定する。制御部１１２は、信号品質測定部１１０から取得する信号品質値が所定の閾値未満である場合、アンテナの切替信号をセレクタ１０３に出力する。たとえば制御部１１２は、初期セルサーチの開始時に第１アンテナ１０１に接続している場合、第１アンテナ１０１から第２アンテナ１０２への切替を要求する切替信号をセレクタ１０３に出力する。
【００３５】
なお、制御部１１２は、信号品質値が所定の閾値以上である場合、アンテナの切替を実行しない。受信装置１０は、現在接続中のアンテナを用いて通信を継続する。
【００３６】
アンテナの切替実行後、制御部１１２は、信号品質値の再測定を指示する制御信号を信号品質測定部１１０に出力する。そして、制御部１１２は、信号品質測定部１１０から取得したアンテナ切替後の信号品質値と、アンテナ切替前の信号品質値とを比較する。制御部１１２は、アンテナ切替後の信号品質値がアンテナ切替前の信号品質値よりも小さい場合、アンテナの切替信号をセレクタ１０３に再度出力し、アンテナの切替を実行する。制御部１１２は、第２アンテナ１０２への切替後に計測された信号品質値が、第２アンテナ１０２への切替前に計測された信号品質値よりも小さい場合、第２アンテナ１０２から第１アンテナ１０１への切替を再度実行する。すなわち制御部１１２は、第１アンテナ１０１から第２アンテナ１０２への切替後、受信信号の品質が低下した場合、第２アンテナ１０２よりも受信信号の品質が良かった第１アンテナ１０１に戻す。
【００３７】
なお、制御部１１２は、アンテナ切替後の信号品質値がアンテナ切替前の信号品質値以上である場合、アンテナの切替を実行しない。受信装置１０は、現在接続中のアンテナを用いて通信を継続する。
【００３８】
図２に示す受信装置１０が有する各部、すなわち受信処理部１００、同期信号検出部１０９、信号品質測定部１１０、記憶部１１１、及び制御部１１２は、受信装置１０の各機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ又は１つの集積回路であってもよい。機能ブロックの構成方法は任意である。なお、制御部１１２は上述の機能ブロックとは異なる機能単位で構成されていてもよい。たとえば同期信号検出部１０９及び信号品質測定部１１０により実現される機能が、それぞれ制御部１１２が実行するソフトウェアモジュールで実装されてもよい。あるいは同期信号検出部１０９及び信号品質測定部１１０により実現される機能が、１つの回路ブロック又は１つの集積回路で実装されてもよい。
【００３９】
［１−３．第１の実施形態に係るアンテナ切替処理の手順］
図４は、本開示の第１の実施形態に係るアンテナ切替処理の流れを示すフローチャートである。図４に示す処理は、たとえば受信装置１０へ電源投入により、制御部１１２が実行する。
【００４０】
図４に示すように、制御部１１２は、任意に選択した第１アンテナ１０１に接続して待機する（ステップＳ１０１）。
【００４１】
続いて、制御部１１２は、同期信号検出部１０９により初期セルサーチの同期信号が検出されたか否かを判定する（ステップＳ１０２）。
【００４２】
制御部１１２は、判定の結果、同期信号検出部１０９により初期セルサーチの同期信号が検出されない場合（ステップＳ１０２，Ｎｏ）、上記ステップＳ１０１の手順に戻る。これとは反対に、制御部１１２は、判定の結果、同期信号検出部１０９により初期セルサーチの同期信号が検出されると（ステップＳ１０２，Ｙｅｓ）、第１アンテナ１０１で所定の通信を開始する（ステップＳ１０３）。
【００４３】
続いて、制御部１１２は、信号品質測定部１１０から信号品質値Ｖｆを取得する（ステップＳ１０４）。信号品質値Ｖｆは、第１アンテナ１０１を用いて取得された受信信号の信号品質値である。
【００４４】
続いて、制御部１１２は、信号品質値Ｖｆが所定の閾値以上であるか否かを判定する（ステップＳ１０５）。
【００４５】
制御部１１２は、判定の結果、信号品質値Ｖｆが所定の閾値以上である場合（ステップＳ１０５，Ｙｅｓ）、アンテナの切替は実行せず、図４に示す処理を終了する。
【００４６】
一方、制御部１１２は、判定の結果、信号品質値Ｖｆが所定の閾値以上ではない場合（ステップＳ１０５，Ｎｏ）、すなわち信号品質値Ｖｆが所定の閾値未満であるとき、セレクタ１０３に切替信号を出力して、第２アンテナ１０２へ切り替える（ステップＳ１０６）。
【００４７】
続いて、制御部１１２は、信号品質測定部１１０から信号品質値Ｖｓを再度取得する（ステップＳ１０７）。信号品質値Ｖｓは、第２アンテナ１０２を用いて取得された受信信号の信号品質値である。
【００４８】
続いて、制御部１１２は、信号品質値Ｖｓが信号品質値Ｖｆよりも小さいか否かを判定する（ステップＳ１０８）。
【００４９】
制御部１１２は、判定の結果、信号品質値Ｖｓが信号品質値Ｖｆよりも小さい場合（ステップＳ１０８，Ｙｅｓ）、セレクタ１０３に切替信号を出力して、再度、第１アンテナ１０１への切替を行い（ステップＳ１０９）、図４に示す処理を終了する。
【００５０】
一方、制御部１１２は、判定の結果、信号品質値Ｖｓが信号品質値Ｖｆよりも小さくない場合（ステップＳ１０８，Ｎｏ）、すなわち信号品質値Ｖｓが信号品質値Ｖｆ以上であるとき、アンテナの切替は実行せず、図４に示す処理を終了する。
【００５１】
（２．第２の実施形態）
［２−１．第２の実施形態に係るアンテナ切替処理の手順］
第１の実施形態では、初期セルサーチを開始する際、第１アンテナ１０１及び第２アンテナ１０２のうちのいずれか一方を任意に選択し、初期セルサーチの開始時のアンテナに決定している。たとえば初期同期性能が通信全体のボトルネックとなっている場合には、アンテナ切替の効果が見込めない可能性がある。
【００５２】
図５は、本開示の第２の実施形態に係る各変調方式に対応するスループットの測定結果の一例を示す図である。図５は、テスタを無線で送信し、出力レベルを変化させたときの同期特性と、各変調方式（ＱＰＳＫ又は１６ＱＡＭ）に対応するダウンリンク信号のスループットの測定結果を示すものである。なお、ＬＴＥ通信方式として「Ｃａｔ−Ｍ１」を採用する。
【００５３】
図５に示すように、出力レベルを低下させていくと、各変調方式のスループットは総じて低下する。各変調方式は、出力レベルがおよそ「−６６（ｄｂｍ）」で同期が取れなくなる。そして、スループットが５０％以下になってから同期が取れなくなるまでの出力レベルの差は、ＱＰＳＫでおよそ「５（ｄｂｍ）」であり、１６ＱＡＭでおよそ「１１（ｄｂｍ）」となっている。つまり、図５に示す測定結果によれば、同期が取れても、スループットが０％になる可能性がある。
【００５４】
そこで、以下に説明する第２の実施形態に係るアンテナ切替処理は、リファレンスアンテナ（基準アンテナの一例）を設定する手順をさらに実行する。すなわち、同期が取れた後に信号品質値の測定を行い、受信信号の品質が維持できなくなったタイミングでアンテナの切替を実行する。これにより、受信信号の品質が維持されたアンテナを、次回の初期セルサーチに初期接続するアンテナに設定しておくことができ、漸進的な伝送路の環境の変化に対応できる可能性を高めることができる。
【００５５】
図６は、本開示の第２の実施形態に係るアンテナ切替処理の流れを示すフローチャートである。第２の実施形態に係るアンテナ切替処理は、基本的には、第１の実施形態に係るアンテナ切替処理（図３）と同様であるが、リファレンスアンテナを設定する手順を含む点が第１の実施形態に係るアンテナ切替処理と相違する。以下の説明において、リファレンスアンテナは、第１アンテナ１０１及び第２アンテナ１０２のうちのいずれか一方に該当する。また、以下の説明において、サブアンテナは、リファレンスアンテナではないアンテナ、すなわち第１アンテナ１０１及び第２アンテナ１０２のうちのいずれか一方に該当する。
【００５６】
図６に示すように、制御部１１２は、リファレンスアンテナに接続して待機する（ステップＳ２０１）。記憶部１１１は、たとえば第１アンテナ１０１及び第２アンテナ１０２の中から、いずれのアンテナがリファレンスアンテナであるかのステータス情報を記憶できる。制御部１１２は、記憶部１１１に記憶されているステータス情報に基づいて、第１アンテナ１０１及び第２アンテナ１０２の中からリファレンスアンテナを特定できる。
【００５７】
続いて、制御部１１２は、同期信号検出部１０９により初期セルサーチの同期信号が検出されたか否かを判定する（ステップＳ２０２）。
【００５８】
制御部１１２は、判定の結果、同期信号検出部１０９により初期セルサーチの同期信号が検出されない場合（ステップＳ２０２，Ｎｏ）、上記ステップＳ２０１の手順に戻る。これとは反対に、制御部１１２は、判定の結果、同期信号検出部１０９により初期セルサーチの同期信号が検出されると（ステップＳ２０２，Ｙｅｓ）、リファレンスアンテナで所定の通信を開始する（ステップ２０３）。
【００５９】
続いて、制御部１１２は、信号品質測定部１１０から信号品質値ＶＲＥＦを取得する（ステップＳ２０４）。信号品質値ＶＲＥＦは、リファレンスアンテナを用いて取得された受信信号の信号品質値である。
【００６０】
続いて、制御部１１２は、信号品質値ＶＲＥＦが所定の閾値以上であるか否かを判定する（ステップＳ２０５）。
【００６１】
制御部１１２は、判定の結果、信号品質値ＶＲＥＦが所定の閾値以上である場合（ステップＳ２０５，Ｙｅｓ）、アンテナの切替を実行せず、図６に示す処理を終了する。
【００６２】
一方、制御部１１２は、判定の結果、信号品質値ＶＲＥＦが所定の閾値以上ではない場合（ステップＳ２０５，Ｎｏ）、すなわち信号品質値ＶＲＥＦが所定の閾値未満であるとき、セレクタ１０３に切替信号を出力して、サブアンテナへ切り替える（ステップＳ２０６）。
【００６３】
続いて、制御部１１２は、信号品質測定部１１０から信号品質値ＶＳＵＢを取得する（ステップＳ２０７）。信号品質値ＶＳＵＢは、サブアンテナを用いて取得された受信信号の信号品質値である。
【００６４】
続いて、制御部１１２は、信号品質値ＶＳＵＢが信号品質値ＶＲＥＦよりも小さいか否かを判定する（ステップＳ２０８）。
【００６５】
制御部１１２は、判定の結果、信号品質値ＶＳＵＢが信号品質値ＶＲＥＦよりも小さい場合（ステップＳ２０８，Ｙｅｓ）、セレクタ１０３に切替信号を出力して、再度、リファレンスアンテナへの切替を行い（ステップＳ２０９）、図６に示す処理を終了する。
【００６６】
一方、制御部１１２は、判定の結果、信号品質値ＶＳＵＢが信号品質値ＶＲＥＦよりも小さくない場合（ステップＳ２０８，Ｎｏ）、サブアンテナをリファレンスアンテナに設定し（ステップ２１０）、図６に示す処理を終了する。
【００６７】
（３．第３の実施形態）
［３−１．第３の実施形態に係る受信装置の構成］
上記の実施形態では、初期セルサーチ時の同期信号の検出に応じて、受動的にアンテナの切替を実行する例を説明したが、たとえば突発的な伝送路の環境の変化により、基地局２との同期が取れなくなる場合がある。そこで、以下に説明する第３の実施形態では、突発的な伝送路の環境の変化に対応するべく、能動的にアンテナの切替を実行する受信装置１０を提案する。
【００６８】
図７は、本開示の第３の実施形態に係る受信装置１０の構成例を示す図である。第３の実施形態に係る受信装置１０は、タイマ１１３を有する点が上記の実施形態とは相違する。
【００６９】
タイマ１１３は、リファレンスアンテナ又はサブアンテナに接続し、待機している間の時間を計測する。タイマ１１３は、計測結果を制御部１１２に出力する。
【００７０】
記憶部１１１は、タイマ１１３により計測された時間が、予め設定される所定時間内であるか否かを判定するための閾値を記憶する。
【００７１】
制御部１１２は、リファレンスアンテナに接続して、同期信号検出部１０９により初期セルサーチ時の同期信号が検出されるのを待機する。そして、制御部１１２は、一定時間内に同期信号が検出されない場合、タイマ１１３をリセットし、サブアンテナに切り替えて、同期信号の検出を待機する。制御部１１２は、同期信号が検出されるまで、リファレンスアンテナとサブアンテナとを交互に切り替える。以下、図を参照しつつ、第３の実施形態に係るアンテナ切替処理の手順を説明する。
【００７２】
［３−２．第３の実施形態に係るアンテナ切替処理の手順］
図８及び図９は、本開示の第３の実施形態に係るアンテナ切替処理の流れを示すフローチャートである。図９に示す処理手順は、図６に示すステップＳ２０３〜Ｓ２１０と同様である。
【００７３】
図８に示すように、制御部１１２は、リファレンスアンテナに接続して待機する（ステップＳ３０１）。記憶部１１１は、たとえば第１アンテナ１０１及び第２アンテナ１０２の中から、いずれのアンテナがリファレンスアンテナであるかのステータス情報を記憶できる。制御部１１２は、記憶部１１１に記憶されているステータス情報に基づいて、第１アンテナ１０１及び第２アンテナ１０２の中からリファレンスアンテナを特定できる。
【００７４】
続いて、制御部１１２は、同期信号検出部１０９により所定時間内に初期セルサーチの同期信号が検出されたか否かを判定する（ステップＳ３０２）。
【００７５】
制御部１１２は、判定の結果、所定時間内に初期セルサーチの同期信号が検出されない場合（ステップＳ３０２，Ｎｏ）、サブアンテナへの切替を行い、サブアンテナに接続して待機する（ステップＳ３０３）。
【００７６】
そして、制御部１１２は、再び、同期信号検出部１０９により所定時間内に初期セルサーチの同期信号が検出されたか否かを判定する（ステップＳ３０４）。
【００７７】
制御部１１２は、判定の結果、所定時間内に初期セルサーチの同期信号が検出されない場合（ステップＳ３０４，Ｎｏ）、リファレンスアンテナへの切替を行い、上述したステップＳ３０１の手順に戻る。
【００７８】
上述のステップＳ３０２において、制御部１１２は、判定の結果、所定時間内に初期セルサーチの同期信号が検出された場合（ステップＳ３０２，Ｙｅｓ）、図９に示すステップＳ３０５及びステップＳ３０５に続く処理手順に移る。図９に示すステップＳ３０５〜ステップＳ３１２に示す処理手順は、図６に示すステップＳ２０３〜Ｓ２１０と同様であるので、説明は割愛する。
【００７９】
また、上述のステップＳ３０４において、判定の結果、所定時間内に初期セルサーチの同期信号が検出された場合（ステップＳ３０４，Ｙｅｓ）、図９に示すステップＳ３１２の処理手順に移る。
【００８０】
（４．その他の実施形態）
上述した実施形態では、受信装置１０が、受信信号の信号品質値に基づいて、アンテナの切替を実行する例を説明したが、この例には特に限定される必要はなく、スループットに応じて、アンテナの切替を実行してもよい。たとえば制御部１１２は、第１アンテナ１０１を用いた通信のスループットが所定の閾値未満である場合、第２アンテナ１０２に切り替えるようにしてもよい。
【００８１】
上述した実施形態に係る受信装置１０は、たとえばＩｏＴ機器３として利用されるスマートメータに搭載できる。図１０は、その他の実施形態に係るスマートメータの構成例を示す図である。
【００８２】
図１０に示すように、スマートメータ５０は、第１アンテナ５０１と、第２アンテナ５０２と、セレクタ５０３と、無線通信部５０４と、通信制御部５０５と、記憶部５０６と、制御部５０７と、計量処理部５０８とを備える。
【００８３】
第１アンテナ５０１及び第２アンテナ５０２は、ＬＴＥ通信方式に対応した電波を受ける装置である。上述した実施形態に係る第１アンテナ１０１又は第２アンテナ１０２に対応する。第１アンテナ５０１及び第２アンテナ５０２は、基地局２から受信した電波を電気信号に変換することにより受信信号を取得する。
【００８４】
セレクタ５０３は、上述した実施形態に係るセレクタ１０３に対応し、制御部５０７の制御信号に従って、第１アンテナ５０１及び第２アンテナ５０２のうちのいずれか一方に切り替える。
【００８５】
無線通信部５０４は、ＬＴＥ通信方式に対応する通信処理部であり、かかる無線通信部５０４は、受信処理部５４１及び送信処理部５４２を有する。
【００８６】
受信処理部５４１は、受信信号であるダウンリンク信号に対して、ダウンコンバート、不要な周波数成分の除去、増幅レベルの制御、直交復調、ディジタル信号への変換、ガードインターバルの除去、高速フーリエ変換による周波数領域信号の抽出等を行う。受信処理部５４１により提供される各種処理機能は、上述した受信装置１０が備える受信処理部１００、同期信号検出部１０９、並びに信号品質測定部１１０により実行される処理を実現するための各処理機能をそれぞれ含む。受信処理部５４１は、受信装置１０と同様に、複数のアンテナ（第１アンテナ５０１及び第２アンテナ５０２）に対して、受信信号を処理する受信回路が１系統で構成される。
【００８７】
送信処理部５４２は、アップリンクデータの送信処理を行う。逆高速フーリエ変換による時間領域への変換、ガードインターバルの付加、ベースバンドのディジタル信号の生成、アナログ信号への変換、直交変調、アップコンバート、余分な周波数成分の除去、電力の増幅等の処理を行う。送信データを構成するデータ列を所定の変調方式を用いて変調することにより変調信号を生成し、生成した変調信号を所定の周波数で発振して増幅した後、不要な周波数成分を除去するフィルタリングを行うための各処理機能を提供できる。送信処理部５４２は、制御部５０７の制御に従って送信処理を実行する。
【００８８】
通信制御部５０５は、基地局２を介して、管理装置６０などの他の装置との間で実行される通信を制御する通信インターフェイスである。通信制御部５０５は、たとえばＮＩＣ（Network  Interface  Card）等のＬＡＮインターフェイスである。通信制御部５０５は、有線インターフェイスであってもよいし、無線インターフェイスであってもよい。通信制御部５０５は、スマートメータ５０のネットワーク通信手段として機能する。通信制御部５０５は、制御部５０７の制御に従って、管理装置６０などの他の装置と通信する。
【００８９】
記憶部５０６は、制御部５０７による制御に用いられるプログラムおよびデータを記憶する。記憶部５０６は、例えば、ＲＡＭ、フラッシュメモリ（Flash  Memory）等の半導体メモリ素子、または、ハードディスク、光ディスク等の記憶装置によって実現される。記憶部５０６は、たとえば制御部５０７が受信処理部５４１により算出された信号品質値と比較する所定の閾値を記憶できる。
【００９０】
制御部５０７は、スマートメータ５０の各部を制御する。制御部５０７による制御は、例えば、ＣＰＵやＭＰＵ等によって、スマートメータ５０内部に記憶されたプログラム（例えば、記憶部５０６に記録されたプログラム）がＲＡＭ等を作業領域として実行されることにより実現される。また、制御部５０７による制御は、例えば、ＡＳＩＣやＦＰＧＡ等の集積回路により実現されてもよい。制御部５０７は、上述した実施形態に係る受信装置１０と同様に、受信信号の信号品質値に基づいて、第１アンテナ５０１及び第２アンテナ５０２を切り替える処理を実行できる。制御部５０７は、後述する計量処理部５０８から取得する電力の使用量に関するデータを管理装置６０にアップロードする処理を実行できる。電力の使用量に関するデータのアップロードは、制御部５０７に予め設定される制御タイミングにより実行されてもよいし、管理装置６０からの要求に応じて実行されてもよい。
【００９１】
計量処理部５０８は、所定の計測タイミングで電気の使用量を自動計測する処理部であり、かかる計量処理部５０８は、計量値格納部５８１を有する。計量処理部５０８は、たとえば３０分ごとの電気の使用量、あるいは４５分ごとの電気の使用量のデータを計測できる。
【００９２】
図１０に示すスマートメータ５０によれば、簡素化された回路構成を備えた受信処理部５４１を備える。そして、図１０に示すスマートメータ５０によれば、受信信号の信号品質値に基づいてアンテナの切替が実行する制御部５０７を備える。このため、長期間で定期的な通信が期待されるスマートメータにおいて、消費電力を抑えつつ、通信環境の変化に対応できる製品を提供できる。
【００９３】
また、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００９４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。たとえば、図２に示す同期信号検出部１０９と、信号品質測定部１１０と、制御部１１２とが機能的または物理的に統合されていてもよい。また、受信装置１０が同期信号検出部１０９及び信号品質測定部１１０のそれぞれに対応する処理回路等を備える代わりに、制御部１１２が、同期信号検出部１０９により実行される各種処理と、信号品質測定部１１０により実行される各種処理とを実現してもよい。
【００９５】
また、上述してきた各実施形態及び変形例は、処理内容を矛盾させない範囲で適宜組み合わせることが可能である
【００９６】
また、本明細書に記載された効果はあくまで例示であって限定されるものでは無く、また他の効果があってもよい。
【００９７】
また、上記各実施形態において、基地局２は、基地局２としての機能を備えた構造物（Structure）のみならず、構造物に設置される装置も含まれる。構造物は、例えば、高層ビル、家屋、鉄塔、駅施設、空港施設、港湾施設、スタジアム等の建物である。なお、構造物という概念には、建物のみならず、トンネル、橋梁、ダム、塀、鉄柱等の構築物（Non-building  structure）や、クレーン、門、風車等の設備も含まれる。また、構造物という概念には、地上（陸上）又は地中の構造物のみならず、桟橋、メガフロート等の水上の構造物や、海洋観測設備等の水中の構造物も含まれる。
【００９８】
また、基地局２は、移動可能に構成された基地局装置であってもよい。例えば、基地局は、移動体に設置される装置であってもよいし、移動体そのものであってもよい。移動体は、スマートフォンなどのモバイル端末であってもよい。また、移動体は、地上（陸上）を移動する移動体（例えば、自動車、バス、トラック、列車、リニアモーターカー等の車両）であってもよいし、地中（例えば、トンネル内）を移動する移動体（例えば、地下鉄）であってもよい。また、移動体は、水上を移動する移動体（例えば、旅客船、貨物船、ホバークラフト等の船舶）であってもよいし、水中を移動する移動体（例えば、潜水艇、潜水艦、無人潜水機等の潜水船）であってもよい。また、移動体は、大気圏内を移動する移動体（例えば、飛行機、飛行船、ドローン等の航空機）であってもよいし、大気圏外を移動する移動体（例えば、人工衛星、宇宙船、宇宙ステーション、探査機等の人工天体）であってもよい。
【００９９】
（５．本開示に係る受信装置１０による効果）
上述のように、本開示に係る受信装置（実施形態における受信装置１０など）は、ＬＴＥ通信方式に対応する複数のアンテナと、複数のアンテナのうちのいずれか一方で取得される受信信号を処理する１つの受信処理部とを備える。これにより、本開示に係る受信装置は、受信信号を処理するための構成を簡素化することにより、消費電力を抑えることができる。また、本開示に係る受信装置は、複数のアンテナにより、通信環境の変化に対応できる。
【０１００】
また、本開示に係る受信装置は、信号品質測定部と、制御部とをさらに備える。信号品質測定部は、初期セルサーチ時の同期信号が検出されることをトリガーとして、当該初期セルサーチ時に用いられたアンテナにより取得される受信信号の品質を示す信号品質値を算出する。制御部は、信号品質値が所定の閾値未満である場合、アンテナの切替を実行する。これにより、本開示に係る受信装置は、受信信号の品質を示す信号品質に基づいて、アンテナを切り替えることにより、通信環境の変化に伴う通信品質の低下を防止できる。
【０１０１】
また、信号品質測定部は、ＲＳＳＩ値、ＲＳＱＩ値、及びＳＩＮＲ値、並びに、ＲＳＳＩ値に関連する値、ＲＳＱＩ値に関連する値、及びＳＩＮＲ値に関連する値のうちの少なくとも１つの値を用いた演算結果に基づいて、信号品質値を算出する。これにより、本開示に係る受信装置は、種々の指標に基づく信号品質値を利用できる。
【０１０２】
また、複数のアンテナは、第１アンテナおよび第２アンテナを含む。信号品質測定部は、第２アンテナへの切替後、信号品質値を再度算出する。制御部は、第２アンテナへの切替後に信号品質測定部により再度算出された信号品質値が、第２アンテナへの切替前に信号品質測定部により算出された信号品質値よりも小さい場合、第１アンテナへの切替を実行する。これにより、本開示に係る受信装置は、できるだけ受信信号の品質が良いアンテナにより通信を実行できる。
【０１０３】
また、複数のアンテナは、第１アンテナおよび第２アンテナを含む。信号品質測定部は、第２アンテナへの切替後、信号品質値を再度算出する。制御部は、第２アンテナへの切替後に信号品質測定部により再度算出された信号品質値が、第２アンテナへの切替前に信号品質測定部により算出された信号品質値以上である場合、第２アンテナをリファレンスアンテナに設定する。そして、制御部は、初期セルサーチの実施前に第２アンテナに接続して待機する。これにより、本開示に係る受信装置は、漸進的な伝送路の環境の変化に対応できる可能性を高めることができる。
【０１０４】
また、制御部は、初期セルサーチ時の同期信号が一定期間検出されないことをトリガーとして、アンテナの切替を実行する。これにより、本開示に係る受信装置は、突発的な伝送路の環境の変化により、基地局との同期が取れなくなる事態に対処できる。
【０１０５】
また、第１アンテナ及び第２アンテナは、ＣＡＴ−Ｍ１方式、及びＮＢ−ＩｏＴ方式と同等の低速通信方式による受信信号を取得する。これにより、本開示に係る受信装置は、消費電力をできるだけ低減し、長期的な通信を実現できる。
【０１０６】
また、本開示に係るアンテナ制御方法は、たとえば実施形態に係る受信装置１０によるアンテナ切替処理である。かかるアンテナ制御方法は、コンピュータが、初期セルサーチ時の同期信号が検出されることをトリガーとして、当該初期セルサーチ時に用いられたアンテナにより取得される受信信号の品質を示す信号品質値を算出する。そして、信号品質値が所定の閾値未満である場合、コンピュータがアンテナの切替を実行する。これにより、本開示に係るアンテナ制御方法は、消費電力を抑えつつ、伝送路の環境の変化に伴う通信品質の低下を防止できる。
【０１０７】
また、本開示に係る通信システム（たとえば実施形態における通信システム１）は、基地局と、受信装置とを備える通信システムである。かかる通信システムにおける受信装置は、ＬＴＥ通信方式に対応する複数のアンテナと、前記複数のアンテナのうちのいずれか一方で取得される受信信号を処理する１つの受信処理部とを備える。これにより、本開示に係る通信システムは、受信信号を処理する受信装置の構成を簡素化することにより、受信装置における消費電力を抑えることができる。また、本開示に係る通信システムは、複数のアンテナを備える受信装置が、伝送路の環境の変化に対応できる。
【０１０８】
（６．ハードウェア構成）
上述してきた各実施形態に係る受信装置１０は、例えば図１１に示すような構成のコンピュータ１０００によって実現される。以下、第１の実施形態に係る受信装置１０を例に挙げて説明する。図１１は、受信装置１０の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス１５００、及び入出力インターフェイス１６００を有する。コンピュータ１０００の各部は、バス１０５０によって接続される。
【０１０９】
ＣＰＵ１１００は、ＲＯＭ１３００又はＨＤＤ１４００に格納されたプログラムに基づいて動作し、各部の制御を行う。例えば、ＣＰＵ１１００は、ＲＯＭ１３００又はＨＤＤ１４００に格納されたプログラムをＲＡＭ１２００に展開し、各種プログラムに対応した処理を実行する。
【０１１０】
ＲＯＭ１３００は、コンピュータ１０００の起動時にＣＰＵ１１００によって実行されるＢＩＯＳ（Basic  Input  Output  System）等のブートプログラムや、コンピュータ１０００のハードウェアに依存するプログラム等を格納する。
【０１１１】
ＨＤＤ１４００は、ＣＰＵ１１００によって実行されるプログラム、及び、かかるプログラムによって使用されるデータ等を非一時的に記録する、コンピュータ１０００が読み取り可能な記録媒体である。具体的には、ＨＤＤ１４００は、たとえば図３に示すアンテナ切替処理を実現するためのプログラムを記録する記録媒体である。
【０１１２】
通信インターフェイス１５００は、コンピュータ１０００が外部ネットワーク１５５０（例えばインターネット）と接続するためのインターフェイスである。例えば、ＣＰＵ１１００は、通信インターフェイス１５００を介して、他の機器からデータを受信したり、ＣＰＵ１１００が生成したデータを他の機器へ送信したりする。
【０１１３】
入出力インターフェイス１６００は、入出力デバイス１６５０とコンピュータ１０００とを接続するためのインターフェイスである。例えば、ＣＰＵ１１００は、入出力インターフェイス１６００を介して、キーボードやマウス等の入力デバイスからデータを受信する。また、ＣＰＵ１１００は、入出力インターフェイス１６００を介して、ディスプレイやスピーカーやプリンタ等の出力デバイスにデータを送信する。また、入出力インターフェイス１６００は、所定の記録媒体（メディア）に記録されたプログラム等を読み取るメディアインターフェイスとして機能してもよい。メディアとは、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１４】
例えば、コンピュータ１０００が第１の実施形態に係る受信装置１０として機能する場合、コンピュータ１０００のＣＰＵ１１００は、ＲＡＭ１２００上にロードされたプログラム（アンテナ切替処理を実現するためのプログラムなど）を実行する。これにより、受信装置１０の制御部１１２により実行される各種処理等の機能が実現される。また、ＨＤＤ１４００には、本開示に係るアンテナ切替処理を実現するためのプログラムや、記憶部１１１に記憶されるデータなどが格納される。なお、ＣＰＵ１１００は、プログラムデータ１４５０をＨＤＤ１４００から読み取って実行するが、他の例として、外部ネットワーク１５５０を介して、他の装置からこれらのプログラムを取得してもよい。
【０１１５】
なお、本技術は以下のような構成も取ることができる。
（１）
ＬＴＥ通信方式に対応する複数のアンテナと、
前記複数のアンテナのうちのいずれか一方で取得される受信信号を処理する１つの受信処理部と
を備える受信装置。
（２）
初期セルサーチ時の同期信号が検出されることをトリガーとして、当該初期セルサーチ時に用いられたアンテナにより取得される受信信号の品質を示す信号品質値を算出する信号品質測定部と、
前記信号品質値が所定の閾値未満である場合、前記アンテナの切替を実行する制御部と
をさらに備える
前記（１）に記載の受信装置。
（３）
前記信号品質測定部は、
ＲＳＳＩ値、ＲＳＱＩ値、及びＳＩＮＲ値、並びに、
ＲＳＳＩ値に関連する値、ＲＳＱＩ値に関連する値、及びＳＩＮＲ値に関連する値のうちの少なくとも１つの値を用いた演算結果に基づいて、前記信号品質値を算出する
前記（２）に記載の受信装置。
（４）
前記複数のアンテナは、第１アンテナおよび第２アンテナを含み、
前記信号品質測定部は、
前記第２アンテナへの切替後、前記信号品質値を再度算出し、
前記制御部は、
前記第２アンテナへの切替後に前記信号品質測定部により再度算出された前記信号品質値が、前記第２アンテナへの切替前に前記信号品質測定部により算出された前記信号品質値よりも小さい場合、前記第１アンテナへの切替を実行する
前記（２）又は（３）に記載の受信装置。
（５）
前記複数のアンテナは、第１アンテナおよび第２アンテナを含み、
前記信号品質測定回路は、
前記第２アンテナへの切替後、前記信号品質値を再度算出し、
前記制御部は、
前記第２アンテナへの切替後に前記信号品質測定部により再度算出された前記信号品質値が、前記第２アンテナへの切替前に前記信号品質測定部により算出された前記信号品質値以上である場合、前記第２アンテナをリファレンスアンテナに設定し、初期セルサーチの実施前に第２アンテナに接続して待機する
前記（２）又は（３）のいずれかに記載の受信装置。
（６）
前記制御部は、
初期セルサーチ時の同期信号が一定期間検出されないことをトリガーとして、前記アンテナの切替を実行する
前記（１）〜（５）のいずれかに記載の受信装置。
（７）
前記第１アンテナ及び前記第２アンテナは、
ＣＡＴ−Ｍ１方式、及びＮＢ−ＩｏＴ方式と同等の低速通信方式を用いる前記ＬＴＥ通信方式による受信信号を取得する
前記（４）に記載の受信装置。
（８）
コンピュータが、
初期セルサーチ時の同期信号が検出されることをトリガーとして、当該初期セルサーチ時に用いられたアンテナにより取得される受信信号の品質を示す信号品質値を算出し、
前記信号品質値が所定の閾値未満である場合、前記アンテナの切替を実行する
アンテナ制御方法。
（９）
基地局と、受信装置とを備える通信システムにおいて、
前記受信装置は、
ＬＴＥ通信方式に対応する複数のアンテナと、
前記複数のアンテナのうちのいずれか一方で取得される受信信号を処理する１つの受信処理部と
を備える通信システム。
【符号の説明】
【０１１６】
１  通信システム
１０  受信装置
１０１  第１アンテナ
１０２  第２アンテナ
１０３  セレクタ
１０４  アンプ
１０５  ミキサ
１０６  ベースバンド処理部
１０７  変換部
１０８  復調部
１０９  同期信号検出部
１１０  信号品質測定部
１１１  記憶部
１１２  制御部
１１３  タイマ
【図１】
2020120198.tif 000003
【図２】
2020120198.tif 000004
【図３】
2020120198.tif 000005
【図４】
2020120198.tif 000006
【図５】
2020120198.tif 000007
【図６】
2020120198.tif 000008
【図７】
2020120198.tif 000009
【図８】
2020120198.tif 000010
【図９】
2020120198.tif 000011
【図１０】
2020120198.tif 000012
【図１１】
2020120198.tif 000013
【図１２】
2020120198.tif 000014
【図１３】
2020120198.tif 000015